(57)【要約】      （修正有）【課題】雨水を貯めるタンクの設置及び増設が容易に行える雨水貯留設備を提供する。【解決手段】竪樋１から雨水が導入される親タンク２と、増設用の子タンク３ａとを備え、親タンク２と子タンク３ａは、側面の下部に連結口４が形成してあり、親タンク２と子タンク３ａ、及び子タンク同士を連結するにあたり、両タンクの連結口４，４にわたって連結パイプ５を挿通し、先端に向かうにつれて外径が小さくなったクサビ状リング６をタンク内側から連結パイプ５端部に差し込むことで、連結パイプ５の外周を連結口４の内周に密着させている。【選択図】図１
0003145276.tif 000002
【実用新案登録請求の範囲】
【請求項１】
竪樋から雨水が導入される親タンクと、増設用の子タンクとを備え、親タンクと子タンクは、側面の下部に連結口が形成してあり、親タンクと子タンク、及び子タンク同士を連結するにあたり、両タンクの連結口にわたって連結パイプを挿通し、先端に向かうにつれて外径が小さくなったクサビ状リングをタンク内側から連結パイプ端部に差し込むことで、連結パイプの外周を連結口の内周に密着させていることを特徴とする雨水貯留設備。
【請求項２】
親タンクは、中断した竪樋の間に設置されるものであり、オーバーフローパイプが底面を貫通して設けてあり、中断した竪樋の上側端部が上方から直接差し入れられると共に、オーバーフローパイプの下端部を中断した竪樋の下側端部に差し入れていることを特徴とする請求項１記載の雨水貯留設備。
【請求項３】
連結口は、左右の側面を含む少なくとも三方の側面に設けてあり、各連結口にネジで着脱自在な蓋を備えていることを特徴とする請求項１又は２記載の雨水貯留設備。
【請求項４】
親タンクと子タンクは、左右方向の一方側の上縁部に雄係合部を有し、左右方向の他方側の上縁部に雌係合部を有し、左右に隣接してされるタンクの上縁部を雄係合部と雌係合部を係合させることで連結自在としたことを特徴とする請求項１，２又は３記載の雨水貯留設備。
【考案の詳細な説明】
【技術分野】
【０００１】
本考案は、竪樋から雨水を貯め、貯めた雨水を庭の水やり、洗車、水洗トイレ等に利用するための雨水貯留設備に関する。
【背景技術】
【０００２】
特許文献１には、複数の箱型のタンクを、側面の上部と下部の２箇所を連結パイプで連結した雨水貯留設備が開示されている。この雨水貯留設備は、タンク同士を上部と下部の２本の連結パイプで繋がねばならず、各連結パイプの端部を水漏れしないようにタンクの穴にそれぞれ固定する作業にも手間がかかるため、タンクの増設が簡単に行えなかった。また、上部の連結パイプが余分な雨水の放水用のパイプを兼ねており、導水パイプ（竪樋）から最も離れた位置にあるタンクに連結した放流パイプから側溝に余分な雨水を排水するようにしているが、そのように一番端のタンクの近くに必ずしも側溝があるとは限らず、近くに側溝が無いときにはタンクから側溝まで放流パイプを延長しなければならなかった。
【特許文献１】実用新案登録第３０１８８３６号公報
【考案の開示】
【考案が解決しようとする課題】
【０００３】
本考案は以上に述べた実情に鑑み、雨水を貯めるタンクの設置及び増設が容易に行える雨水貯留設備の提供を目的とする。
【課題を解決するための手段】
【０００４】
上記の課題を達成するために請求項１記載の考案による雨水貯留設備は、竪樋から雨水が導入される親タンクと、増設用の子タンクとを備え、親タンクと子タンクは、側面の下部に連結口が形成してあり、親タンクと子タンク、及び子タンク同士を連結するにあたり、両タンクの連結口にわたって連結パイプを挿通し、先端に向かうにつれて外径が小さくなったクサビ状リングをタンク内側から連結パイプ端部に差し込むことで、連結パイプの外周を連結口の内周に密着させていることを特徴とする。
【０００５】
請求項２記載の考案による雨水貯留設備は、請求項１記載の考案の構成に加え、親タンクは、中断した竪樋の間に設置されるものであり、オーバーフローパイプが底面を貫通して設けてあり、中断した竪樋の上側端部が上方から直接差し入れられると共に、オーバーフローパイプの下端部を中断した竪樋の下側端部に差し入れていることを特徴とする。
【０００６】
請求項３記載の考案による雨水貯留設備は、請求項１又は２記載の考案の構成に加え、連結口は、左右の側面を含む少なくとも三方の側面に設けてあり、各連結口にネジで着脱自在な蓋を備えていることを特徴とする。
【０００７】
請求項４記載の考案による雨水貯留設備は、請求項１，２又は３記載の考案の構成に加え、親タンクと子タンクは、左右方向の一方側の上縁部に雄係合部を有し、左右方向の他方側の上縁部に雌係合部を有し、左右に隣接してされるタンクの上縁部を雄係合部と雌係合部を係合させることで連結自在としたことを特徴とする。
【考案の効果】
【０００８】
請求項１記載の考案による雨水貯留設備は、親タンクと子タンク、及び子タンク同士を連結するにあたり、各タンクの側面下部に設けた連結口に連結パイプを挿通し、先端に向かうにつれて外径が小さくなったクサビ状リングをタンク内側から連結パイプ端部に差し込むことで、連結パイプの外周を連結口の内周に密着させるようにしたので、子タンクの増設が簡単に行え、且つ連結口から雨水が漏れることもない。
【０００９】
請求項２記載の考案による雨水貯留設備は、既存の竪樋を一部切り取って中断させ、中断した竪樋の上側端部を親タンクに上方より直接差し入れると共に、親タンクの底面を貫通して設けたオーバーフローパイプの下端部を中断した竪樋の下側端部に差し入れることで、雨水を竪樋からタンクに流す配管、オーバーフロー水を排水するための配管が必要ないため、誰にでも容易に設置できる。
【００１０】
請求項３記載の考案による雨水貯留設備は、連結口が各タンクの左右の側面を含む少なくとも三方の側面に設けてあるので、タンクを左右方向だけでなく前後方向にも連結することができ、設置場所の状況に応じてタンクの配置を自由に変えることができる。各連結口にネジで着脱自在な蓋を備えているので、使用しない連結口は蓋で塞いでおけばよい。
【００１１】
請求項４記載の考案による雨水貯留設備は、左右に隣接してされるタンクの上縁部を雄係合部と雌係合部を係合させて連結することで、個々のタンクが傾いたり倒れたりするのを防止し、複数のタンクを安定して設置しておける。
【考案を実施するための最良の形態】
【００１２】
以下、本考案の実施の形態を図面に基づいて説明する。図３は本考案に係る雨水貯留設備の一実施形態を示す正面図であり、図４はこの雨水貯留設備の平面図、図１は縦断面図である。この雨水貯留設備は、図１，３に示すように、中断した竪樋１の間に設置される親タンク２と、親タンク２から直列状に連結した複数の子タンク３ａ，３ｂとを備えている。親タンク２と子タンク３ａ、及び子タンク３ａ，３ｂ同士は、側面の下部で連結パイプ５により連結されている。
【００１３】
親タンク２は、プラスチックで縦長の箱状に形成され、上面には開閉及び着脱自在な蓋１１を備えている。親タンク２の左右側面と前面の下部には、図１に示すように円筒状の連結口４がタンク外側及び内側に突出して形成してあり、使用しない連結口４はネジ１２で着脱自在な蓋８で塞いである。親タンク２内には、中断した竪樋１の上側端部１ａが上方より直接差し入れられ、また親タンク２内には底面を貫通して設けたオーバーフローパイプ７を有し、オーバーフローパイプ７の下端部を中断した竪樋１の下側端部１ｂに差し入れてある。オーバーフローパイプ７は、竪樋１よりも細いパイプを使用しており、タンク底面の貫通部はシール材１３でシールしてある。
【００１４】
子タンク３ａ，３ｂは、オーバーフローパイプ７が設けてない点を除いて、親タンク２と同様に形成されている。
親タンク２と子タンク３ａ、及び子タンク３ａ，３ｂ同士の連結部は、図２に示すように、両タンクの連結口４，４にわたって連結パイプ５を挿入し、先端に向かうにつれて外径が小さくなったクサビ状リング６をタンク内側から連結パイプ５端部に差し込んで固定した構造となっている。連結パイプ５は、柔軟性を有する材質で形成してあり、連結パイプ５の外径は連結口４の内径よりも若干小さいものとなっている。連結パイプ５を連結口４に挿入しただけでは、連結パイプ５と連結口４の間の隙間からタンク内の雨水が漏れるが、上述のようにクサビ状リング６を連結パイプ５の端部に差し込むことで、連結パイプ５の端部が拡がって連結口４の内周に密着するから、水漏れを確実に防止できる。クサビ状リング６は、図６に示すように、末端側に周囲に広がったツバ状部１４が形成してあり、ツバ状部１４の外周面には滑り止めのためのギザギザ１５が形成してある。このツバ状部１４を手で持ち、ねじ込むようにして連結パイプ５に差し込むことで容易に取付けでき、また取外すのも容易に行える。
【００１５】
親タンク２と子タンク３ａ，３ｂは、図４に示すように、右側の上縁部に雄係合部９を、左側の上縁部に雌係合部１０をそれぞれ有しており、雄係合部９と雌係合部１０を上下方向から係合することで、タンク同士を連結している。これにより個々のタンク２，３ａ，３ｂが傾いたり倒れたりするのを防止し、複数のタンクを安定して設置しておける。
各タンクの蓋１１は、図１，４に示すように、断面Ｌ形の係合片１６をタンク後側の上縁部に設けた軸１７に係合して取付けてあり、同軸１７を支点として回動して開閉できる。親タンク２の蓋１１には、竪樋１を挿通するための切り欠き１８が設けてある。
【００１６】
本雨水貯留設備を設置する際の手順を説明すると、まず図５（ａ）に示すように、竪樋１の中間部を一部切り取り、竪樋１を中断させる。次に図５（ｂ）に示すように、タンク設置場所にブロック等の台１９を置いた後、親タンク２を若干傾けるようにして中断した竪樋１の間に位置させ、竪樋の上側端部１ａを親タンク２内に上方より差し入れる。その後、図５（ｃ）に示すように、親タンク２を台１９の上に下ろし、このときオーバーフローパイプ７の下端部を中断した竪樋１の下側端部１ｂに差し入れる。このように本雨水貯留設備は、既存の竪樋１を中断した後、中断した竪樋１ａ，１ｂ間に親タンク２を配置することにより、新たな配管をすることなく極めて容易に設置できる。子タンク３ａ，３ｂの増設も、上述のようにタンクの連結口４に連結パイプ５を通し、連結パイプ５端部にタンク内側からクサビ状リング６を嵌めて固定することにより、簡単に行える。
【００１７】
雨が降ると、竪樋１ａから親タンク２内に雨水が流入し、各タンク２，３ａ，３ｂが下部で連結パイプ５により連結してあることで、各タンク２，３ａ，３ｂに同一の水位で雨水が溜まる（図１参照。）。溜まった雨水は、親タンク２に設けた注出口２０にホースを連結するなどして、庭の水やり、洗車等に利用できる。雨水貯留設備を、ガレージの上等の高い位置に設置し、タンクから屋内に配管して水洗トイレ、洗濯、風呂等に利用することもできる。水位がオーバーフローパイプ７の上端まで達すると、オーバーフローパイプ７を通じて中断した竪樋１の下側端部１ｂに雨水が排水される。
【００１８】
タンクの底部には竪樋１ａからの雨水に含まれるゴミが溜まるが、ゴミの量は親タンク２で最も多く、子タンク３ａ、子タンク３ｂと、親タンク３ａから離れるにつれて少なくなる。そのため、親タンク３ａから最も遠い位置の子タンク３ｂから雨水を取り出せば、ゴミの少ないきれいな雨水を取り出せる。本雨水貯留設備は、クサビ状リング６を外すことでタンク２，３ａ，３ｂごとに容易に分離することができ、分離した状態で各タンク２，３ａ，３ｂ内を容易に掃除できる。また本雨水貯留設備は、親タンク２が中断した竪樋１ａ，１ｂの間に設置するものであり、且つタンク同士をタンク下部の複数の面に設けた連結口４を連結パイプ５とクサビ状リング６で連結するようにしたので、後から設置場所を変更したり、子タンク３ａ，３ｂの配置を変更したりすることも容易に行える。
【００１９】
親タンク２及び子タンク３ａ，３ｂ，３ｃは、三方の側面下部に連結口４を備えているので、図７に示すように、左右方向だけでなく前後方向に連結することもできる。そのため、洗濯機等の障害物２１が置いてある場合でも、それを避けるようにタンクを自由に配置できる。
【００２０】
本考案は以上に述べた実施形態に限定されない。親タンク及び子タンクの材質、大きさ、形状等は適宜変更することができる。子タンクを連結せずに、親タンクのみで使用することもできる。雨水の注出口は、任意のタンクの任意の位置に設けることができる。また、ポンプを付設して貯めた雨水をタンクから汲み上げたり、浄水装置を付設して雨水を清浄化したりすることもできる。
【図面の簡単な説明】
【００２１】
【図１】本考案の雨水貯留設備の要部を示す縦断面図である。
【図２】図１のＡ部を拡大して示す縦断面図である。
【図３】本考案の雨水貯留設備の一実施形態を示す正面図である。
【図４】同雨水貯留設備の平面図である。
【図５】親タンクの設置手順を示す正面図である。
【図６】タンク同士の連結部を示す斜視図である。
【図７】本考案の雨水貯留設備の他の実施形態を示す平面図である。
【符号の説明】
【００２２】
１  竪樋
１ａ  竪樋の上側端部
１ｂ  竪樋の下側端部
２  親タンク
３ａ，３ｂ，３ｃ  子タンク
４  連結口
５  連結パイプ
６  クサビ状リング
７  オーバーフローパイプ
８  連結口の蓋
９  雄係合部
１０  雌係合部
【図１】
0003145276.tif 000003
【図２】
0003145276.tif 000004
【図３】
0003145276.tif 000005
【図４】
0003145276.tif 000006
【図５】
0003145276.tif 000007
【図６】
0003145276.tif 000008
【図７】
0003145276.tif 000009